(57)【要約】      （修正有）【課題】鍔を有する冠り物を使用する場合であっても、装着可能な飛沫防止具を提供する。【解決手段】飛沫防止具は、飛沫の付着を防止するシールド板２と、シールド板の一縁部２ｃに折り線７を介して連結する連結部４と、連結部に、平面視円弧形をなす折り線（ミシン目１０）を介して連結する取付板３とを備える。好ましくは、一縁部に略直交する方向に沿って、シールド板に折り線６、５を介して連結する第１側板１１、１２と、取付板に折り線８、９を介して連結し、第１側板に略平行な第２側板２１、２２とを備え、第１側板及び第２側板の一方に係止部（舌片３２）が設けられ、他方に被係止部（スリット４３）が設けられる。【選択図】図１
0003228106.tif 000002
【実用新案登録請求の範囲】
【請求項１】
飛沫の付着を防止するシールド板と、
該シールド板の一縁部に折り線を介して連結する連結部と、
該連結部に、平面視円弧形をなす折り線を介して連結する取付板と
を備える
飛沫防止具。
【請求項２】
前記一縁部に略直交する方向に沿って、前記シールド板に折り線を介して連結する第１側板と、
前記取付板に折り線を介して連結し、前記第１側板に略平行な第２側板と
を備え、
前記第１側板及び第２側板の一方に係止部が設けられ、他方に被係止部が設けられる
請求項１に記載の飛沫防止具。
【請求項３】
前記第１側板及び第２側板に、クリップの一端側部分を挿入する挿入孔が形成される
請求項２に記載の飛沫防止具。
【請求項４】
前記取付板に、前記クリップの他端側部分の少なくとも一部を挿入する第２挿入孔が形成される
請求項３に記載の飛沫防止具。
【請求項５】
前記第１側板に、被掛止部材に掛止する掛止部が設けられる
請求項２に記載の飛沫防止具。
【請求項６】
前記掛止部に、クリップを挿入する第３挿入孔及び第４挿入孔が形成される
請求項５に記載の飛沫防止具。
【請求項７】
前記取付板に第２係止部が設けられる
請求項１から６のいずれか一つに記載の飛沫防止具。
【請求項８】
前記平面視円弧形をなす折り線はミシン目によって構成される
請求項１から７のいずれか一つに記載の飛沫防止具。
【考案の詳細な説明】
【技術分野】
【０００１】
本技術は、飛沫がユーザに付着することを防止する飛沫防止具に関する。
【背景技術】
【０００２】
従来、可撓性シールド部材に装着バンドを取り付けた顔面保護シールドが提案されている。装着バンドは、例えばユーザの頭部に装着される。顔面保護シールドによって、外部からの飛沫がユーザに付着することを防止できる（例えば、特許文献１参照）。
【先行技術文献】
【特許文献】
【０００３】
【特許文献１】特開２００５−２８７５６１号公報
【考案の概要】
【考案が解決しようとする課題】
【０００４】
しかし、ユーザが鍔を有する冠り物、例えば帽子又はバイザーを使用する場合、鍔が、顔面保護シールドの装着を妨げるという問題がある。
【０００５】
本開示は斯かる事情に鑑みてなされたものであり、鍔を有する冠り物を使用する場合であっても、装着可能な飛沫防止具を提供することを目的とする。
【課題を解決するための手段】
【０００６】
本開示の一実施形態に係る飛沫防止具は、飛沫の付着を防止するシールド板と、該シールド板の一縁部に折り線を介して連結する連結部と、該連結部に、平面視円弧形をなす折り線を介して連結する取付板とを備える。
【考案の効果】
【０００７】
本開示の一実施形態に係る飛沫防止具にあっては、シールド板をユーザの顔の前側に配置させ、取付板を鍔の上側に取り付ける。取付板と連結部との間の折り線は平面視円弧形をなし、鍔の形状に対応する。そのため、鍔を有する冠り物を使用する場合であっても、ユーザは飛沫防止具を装着することができる。
【図面の簡単な説明】
【０００８】
【図１】実施の形態１に係る飛沫防止具の展開図である。
【図２】前斜め上方から視認される組み立てた状態の飛沫防止具の略示斜視図である。
【図３】後斜め上方から視認される組み立てた状態の飛沫防止具の略示斜視図である。
【図４】図３に示すＩＶ−ＩＶ線を切断線とした略示背面断面図である。
【図５】帽子の鍔に取り付けられた飛沫防止具の略示斜視図である。
【図６】帽子の鍔に取り付けられた飛沫防止具におけるクリップ付近の構成を略示する部分拡大背面断面図である。
【図７】実施の形態２に係る飛沫防止具の展開図である。
【図８】前斜め上方から視認される組み立てた状態の飛沫防止具を示す略示斜視図である。
【図９】帽子に取り付けられた飛沫防止具の略示右側面図である。
【図１０】図９のＸ−Ｘ線を切断線とした帽子の略示背面断面図である。
【図１１】クラウンの内側から視認される掛止片の略示側面図である。
【図１２】図１１のＸＩＩ−ＸＩＩ線を切断線とした略示断面図である。
【図１３】帽子に取り付けられた飛沫防止具の右側の舌片付近の略示右側面部分拡大図である。
【考案を実施するための形態】
【０００９】
（実施の形態１）
以下、本考案を実施の形態１に係る飛沫防止具１を示す図面に基づいて説明する。図１は、飛沫防止具１の展開図である。以下の説明において、図１に示す前後左右を使用する。飛沫防止具１は、シールド板２と、二つの第１側板１１、１２と、取付板３と、二つの第２側板２１、２２と、連結板４を備える。シールド板２、第１側板１１、１２、取付板３、第２側板２１、２２及び連結板４は、いずれも透明な部材によって、構成されている。図１において、ハッチングにて示された部分がシールド板２の領域を示す。シールド板２は、前後に延びた矩形状をなす。
【００１０】
シールド板２の右縁部２ａに第１側板１１が連なる。該第１側板１１は、上底１１ｂが後側に、下底１１ａが前側に配置された台形状をなす。
【００１１】
第１側板１１の左脚１１ｃは、シールド板２の右縁部２ａに連なる。第１側板１１の右脚１１ｄにおける後側略１／４部分は、左脚１１ｃと略平行であり、残余部分は、前側に向かうに従って、第１側板１１の左右幅が短くなるように傾斜する。
【００１２】
第１側板１１の上底１１ｂの左右方向中央部には、前方に向けて窪んだ切欠状の凹部３０が形成されている。第１側板１１には、前後に延び、左方に向けて突出した円弧状の二つのスリット３１、３１が形成され、左右に並ぶ。スリット３１の両端部は、右方に向けて突出したフック状に形成されている。二つのスリット３１、３１は、左脚１１ｃと、右脚１１ｄにおける左脚１１ｃに略平行な部分との間に配置されている。スリット３１の内側は舌片３２を構成する。左右方向において、凹部３０は二つのスリット３１、３１の間であって、左側のスリット３１寄りに配置されている。
【００１３】
左脚１１ｃと右縁部２ａとの連結部分に、前後に直線的に延びる溝が形成されている。該溝は折り線６を構成する。折り線６は、左脚１１ｃにおける後側略２／３部分、即ち、左脚１１ｃの後端から左脚１１ｃの中央よりもやや前側に亘って形成される。左脚１１ｃにおける前側略１／３部分（図１において、一点鎖線によって示された部分）には、折り線６は形成されていない。
【００１４】
シールド板２の左縁部２ｂに第１側板１２が連なる。該第１側板１２は、上底１２ｂが後側に、下底１２ａが前側に配置された台形状をなす。
【００１５】
第１側板１２の右脚１２ｄは、シールド板２の左縁部２ｂに連なる。第１側板１２の左脚１２ｃにおける後側略１／４部分は、右脚１２ｄと略平行であり、残余部分は、前側に向かうに従って、左右幅が短くなるように傾斜する。
【００１６】
第１側板１２の上底１２ｂの左右方向中央部には、前方に向けて窪んだ切欠状の凹部３０が形成されている。第１側板１２には、前後に延び、右方に向けて突出した円弧状の二つのスリット３１、３１が形成され、左右に並ぶ。スリット３１の両端部は、左方に向けて突出したフック状に形成されている。二つのスリット３１、３１は、右脚１２ｄと、左脚１２ｃにおける右脚１２ｄに略平行な部分との間に配置されている。スリット３１の内側は舌片３２を構成する。左右方向において、凹部３０は二つのスリット３１、３１の間であって、右側のスリット３１寄りに配置されている。
【００１７】
右脚１２ｄと左縁部２ｂとの連結部分に、前後に直線的に延びる溝が形成されている。該溝は折り線５を構成する。折り線５は、右脚１２ｄにおける後側略２／３部分、即ち、右脚１２ｄの後端から右脚１２ｄの中央よりもやや前側に亘って形成される。右脚１２ｄにおける前側略１／３部分（図１において、一点鎖線によって示された部分）には、折り線５は形成されていない。
【００１８】
シールド板２の後縁部（一縁部）２ｃには、連結板４を介して、取付板３が連結されている。なお後縁部２ｃと、右縁部２ａ及び左縁部２ｂとは略直交する。取付板３は左右に延び、前方に向けて突出した平面視円弧状をなす前縁部（以下、第１縁部３ａ（円弧形縁部）という）と、前方に向けた突出した平面視円弧状をなす後縁部（以下、第２縁部３ｂという）と、第１縁部３ａ及び第２縁部３ｂの右端を連結し、前後に延びる右縁部（以下、第３縁部３ｄという）と、第１縁部３ａ及び第２縁部３ｂの左端を連結し、前後に延びる左縁部（以下、第３縁部３ｃという）とを備える。
【００１９】
第１縁部３ａ及び第２縁部３ｂの曲率中心は、第１縁部３ａ及び第２縁部３ｂの後方、即ちシールド板２の反対側に位置する。第２縁部３ｂの曲率は第１縁部３ａの曲率よりも大きい。左右方向において、第１縁部３ａ及び第２縁部３ｂの右端は略同じ位置に配され、第１縁部３ａ及び第２縁部３ｂの左端は略同じ位置に配される。そのため、左右に配置された二つの第３縁部３ｃ、３ｄは略平行に配置される。取付板３の左右両端部それぞれに、前後に延びる第２貫通孔４２が形成されている。
【００２０】
右側の第３縁部３ｄに第２側板２１が連なる。第２側板２１は、前後に延びた矩形状をなし、前辺２１ａ、後辺２１ｂ、右辺２１ｄ及び左辺２１ｃを備える。左辺２１ｃ全体が第３縁部３ｄに連なる。右辺２１ｄの前部分は、前側に向かうに従って、第２側板２１の左右幅が短くなるように、傾斜する。第２側板２１には、第１貫通孔４１が形成されている。第１貫通孔４１は左辺２１ｃの略中央に配置されている。前後方向において、第１貫通孔４１及び第２貫通孔４２は略同じ位置に配されている。
【００２１】
第２側板２１には、前後に並んだ二つのスリット４３、４３が形成されている。各スリット４３は、左右に延び、後方に向けて僅かに突出した円弧状をなす。二つのスリット４３、４３の前後間隔は、右側の第１側板１１における二つの舌片３２、３２の左右間隔と略同じである。即ち、スリット４３及び舌片３２は互いに対応した位置に形成されている。第１貫通孔４１は、二つのスリット４３、４３の間であって、前側のスリット４３寄りに配置されている。
【００２２】
第３縁部３ｄ及び左辺２１ｃの連結部分に、前後に直線的に延びる溝が形成されている。該溝は折り線８を構成する。折り線８は折り線６に略平行である。
【００２３】
左側の第３縁部３ｃに第２側板２２が連なる。第２側板２２は、前後に延びた矩形状をなし、前辺２２ａ、後辺２２ｂ、右辺２２ｄ及び左辺２２ｃを備える。右辺２２ｄ全体が第３縁部３ｃに連なる。左辺２２ｃの前部分は、前側に向かうに従って、第２側板２２の左右幅が短くなるように、傾斜する。第２側板２２には、第１貫通孔４１が形成されている。第１貫通孔４１は右辺２２ｄの略中央に配置されている。前後方向において、第１貫通孔４１及び第２貫通孔４２は略同じ位置に配されている。
【００２４】
第２側板２２には、前後に並んだ二つのスリット４３、４３が形成されている。各スリット４３は、左右に延び、後方に向けて僅かに突出した円弧状をなす。二つのスリット４３、４３の前後間隔は、左側の第１側板１２における二つの舌片３２、３２の左右間隔と略同じである。即ち、スリット４３及び舌片３２は互いに対応した位置に形成されている。第１貫通孔４１は、二つのスリット４３、４３の間であって、前側のスリット４３寄りに配置されている。
【００２５】
第３縁部３ｃ及び右辺２２ｄの連結部分に、前後に直線的に延びる溝が形成されている。該溝は折り線９を構成する。折り線９は折り線５に略平行である。
【００２６】
連結板４は、左右に延びる矩形状をなし、第１縁部３ａに平行な円弧形の後縁部４ｂと、シールド板２の後縁部２ｃに平行な前縁部４ａとを備える。後縁部４ｂと第１縁部３ａとは連なり、前縁部４ａとシールド板２の後縁部２ｃとは連なる。後縁部４ｂと第１縁部３ａとの連結部分には、複数のスリットが左右に断続的に形成され、第１縁部３ａに沿った平面視円弧形のミシン目１０（折り線）が形成されている。折り線をミシン目１０にすることによって、折り曲げやすくなる。連結板４の前縁部４ａとシールド板２の後縁部２ｃとの連結部分に、左右に直線的に延びる溝が形成されている。該溝は折り線７を構成する。
【００２７】
展開状態の飛沫防止具１は、各折り線５〜９を山折りにし、ミシン目１０を谷折りにし、舌片３２をスリット４３に挿入させることによって、組み立てられる。
【００２８】
図２は、前斜め上方から視認される組み立てた状態の飛沫防止具１の略示斜視図、図３は、後斜め上方から視認される組み立てた状態の飛沫防止具１の略示斜視図、図４は、図３に示すＩＶ−ＩＶ線を切断線とした略示背面断面図である。以下の説明では、図２〜図４に示す上下前後左右を使用する。なお組み立てた状態における上下は、展開状態におけるシールド板２の前後に対応する。また組み立てた状態における前後は、展開状態における取付板３の前後、及び、展開状態における第１側板１１、１２及び第２側板２１、２２の左右に対応する。
【００２９】
図２〜図４に示すように、シールド板２は、図１の表側を前側にして、上下に延び、取付板３はシールド板２の上部背面から後方に突出する。連結板４は、ミシン目１０から上側に延び、シールド板２の上縁に連結する。二つの第１側板１１、１２は、シールド板２の左右縁から後方に延びる。第２側板２１、２２は第１側板１１、１２の内側に配置され、凹部３０及び第１貫通孔４１は左右に隣接する。第２側板２１、２２は第１側板１１、１２に対向し、両者は略平行である。
【００３０】
図５は、帽子６０の鍔６１に取り付けられた飛沫防止具１の略示斜視図、図６は、帽子６０の鍔６１に取り付けられた飛沫防止具１におけるクリップ５０付近の構成を略示する部分拡大背面断面図である。図５に示すように、帽子６０を被ったユーザは、組み立てた飛沫防止具１を帽子６０に取り付けることができる。より詳細には、取付板３を鍔６１に取り付けることができる。
【００３１】
図６に示すように、ユーザは、Ｕ形のクリップ５０を使用することができる。Ｕ形のクリップ５０は、互いに対向する一端側部分５１及び他端側部分５２を備える。他端側部分５２は一端側部分５１に向けて突出した突部５２ａを有する。
【００３２】
クリップ５０の一端側部分５１は、凹部３０及び第１貫通孔４１に挿入され、鍔６１の下側に配置される。またクリップ５０の他端側部分５２は、取付板３の上側に配置される。前記突部５２ａは、第２貫通孔４２に上側から挿入される。突部５２ａは第２貫通孔４２の縁に係止され、クリップ５０は飛沫防止具１及び鍔６１から外れにくくなる。クリップ５０は、取付板３及び鍔６１を挟持する。シールド板２はユーザの顔の前側に配置され、外部からの飛沫の付着を防止することができる。
【００３３】
なお、帽子６０は冠り物の一例であり、他の冠り物、例えばバイザーの鍔に飛沫防止具１を取り付けてもよい。また第２貫通孔４２を設けなくてもよい。上述の実施の形態においては、舌片３２を第１側板１１、１２に設け、スリット４３を第２側板２１、２２に設けているが、舌片を第２側板２１、２２に設け、スリットを第１側板１１、１２に設けてもよい。飛沫防止具１は、例えば、透明なシート原反を打ち抜き成形することによって、製造される。
【００３４】
実施の形態１に係る飛沫防止具１にあっては、シールド板２をユーザの顔の前側に配置させ、取付板３を鍔６１の上側に取り付ける。取付板３の第１縁部３ａ及び第２縁部３ｂは、平面視円弧形をなし、鍔６１の形状に対応する。そのため、鍔６１を有する冠り物、例えば帽子６０を使用する場合であっても、ユーザは飛沫防止具１を装着することができる。
【００３５】
（実施の形態２）
以下、本考案を実施の形態２に係る飛沫防止具１Ａを示す図面に基づいて説明する。実施の形態２においては、実施の形態１と同様な構成には同じ符号を付し、その詳細な説明を省略する。飛沫防止具１Ａは、実施の形態１と異なり、第１貫通孔４１、第２貫通孔４２、凹部３０を備えていない。
【００３６】
図７は、飛沫防止具１Ａの展開図である。第１側板１１の右後隅部に、掛止片１３が設けられている。掛止片１３は、前記右後隅部から斜め右後方向に突出した平面視帯状の中央部１３ａと、該中央部１３ａの右側に配置され、中央部１３ａと略平行な平面視帯状の右部１３ｂと、中央部１３ａの左側に配置され、中央部１３ａと略平行な平面視帯状の左部１３ｃとを備える。
【００３７】
右部１３ｂ及び左部１３ｃそれぞれの右後端部は、中央部１３ａの突出端部に連なる。右部１３ｂ及び左部１３ｃは、中央部１３ａの突出端部にのみ連なっており、中央部１３ａにおける他の部分には連なっていない。即ち、右部１３ｂ及び左部１３ｃと、中央部１３ａにおける他の部分との間には、スリット１３ｄが形成されている。
【００３８】
中央部１３ａには、第３貫通孔１５と、第４貫通孔１６とが形成されている。第３貫通孔１５は、第１側板１１との境界付近に配置されている。第４貫通孔１６は、中央部１３ａの長手方向中央部に配置されている。中央部１３ａの長手方向において、右部１３ｂ及び左部１３ｃそれぞれの左前端部は、第３貫通孔１５及び第４貫通孔１６の間に位置する。
【００３９】
第１側板１２の左後隅部に、掛止片１４が設けられている。掛止片１４は、前記左後隅部から斜め左後方向に突出した平面視帯状の中央部１４ａと、該中央部１４ａの右側に配置され、中央部１４ａと略平行な平面視帯状の右部１４ｂと、中央部１４ａの左側に配置され、中央部１４ａと略平行な平面視帯状の左部１４ｃとを備える。
【００４０】
右部１４ｂ及び左部１４ｃそれぞれの左後端部は、中央部１３ａの突出端部に連なる。右部１４ｂ及び左部１４ｃは、中央部１４ａの突出端部にのみ連なっており、中央部１４ａにおける他の部分には連なっていない。即ち、右部１４ｂ及び左部１４ｃと、中央部１４ａにおける他の部分との間には、スリット１４ｄが形成されている。
【００４１】
中央部１４ａには、第３貫通孔１５と、第４貫通孔１６とが形成されている。第３貫通孔１５は、第１側板１２との境界付近に配置されている。第４貫通孔１６は、中央部１４ａの長手方向中央部に配置されている。中央部１４ａの長手方向において、右部１４ｂ及び左部１４ｃそれぞれの左前端部は、第３貫通孔１５及び第４貫通孔１６の間に位置する。
【００４２】
取付板３の右前隅部に、左後向きに突出した平面視円弧状をなすスリット４４が形成されている。スリット４４の内側部分は、舌片４５を構成する。取付板３の左前隅部に、右後向きに突出した平面視円弧状をなすスリット４４が形成されている。スリット４４の内側部分は、舌片４５を構成する。
【００４３】
図８は、前斜め上方から視認される組み立てた状態の飛沫防止具１Ａを示す略示斜視図である。以下の説明では、図８に示す上下前後左右を使用する。なお組み立てた状態における上下は、展開状態におけるシールド板２の前後に対応する。また組み立てた状態における前後は、展開状態における取付板３の前後、及び、展開状態における第１側板１１、１２及び第２側板２１、２２の左右に対応する。
【００４４】
図８に示すように、掛止片１３は第１側板１１の後上隅部に配置され、斜め上後方向に突出する。掛止片１４は第１側板１２の後上隅部に配置され、斜め上後方向に突出する。
【００４５】
取付板３の前左隅部に、スリット４４及び舌片４５は配置される。また取付板３の前右隅部に、スリット４４及び舌片４５は配置される。
【００４６】
図９は、帽子６０に取り付けられた飛沫防止具１Ａの略示右側面図である。帽子６０の鍔６１の上に取付板３は取り付けられる。取付板３は鍔６１の上面に対向する。掛止片１３は帽子６０のクラウン６２の内側に配置される。なお図示は省略するが、掛止片１４もクラウン６２の内側に配置される。
【００４７】
掛止片１３の第３貫通孔１５は、鍔６１よりも後側に配置され、クラウン６２の右部よりも下側に配置される。なお図示は省略するが、掛止片１４の第３貫通孔１５は、鍔６１よりも後側に配置され、クラウン６２の左部よりも下側に配置される。
【００４８】
図１０は、図９のＸ−Ｘ線を切断線とした帽子６０の略示背面断面図である。クラウン６２の内側には、クラウン６２の下縁部に沿って帯状のビン皮６３が設けられている。ビン皮６３の下縁部はクラウン６２の下縁部に連結する。そのため、ビン皮６３とクラウン６２との間には隙間６３ａが形成される。
【００４９】
図１１は、クラウン６２の内側から視認される掛止片１３の略示側面図、図１２は、図１１のＸＩＩ−ＸＩＩ線を切断線とした略示断面図である。右部１３ｂ及び左部１３ｃは、隙間６３ａに上側から挿入され、掛止片１３はビン皮６３に掛止する。
【００５０】
中央部１３ａの第４貫通孔１６は、クラウン６２の内側において、第３貫通孔１５の上側に配置される。第３貫通孔１５にクリップ５０が挿入され、クリップ５０の一端側部分５１はクラウン６２の外側に配置され、他端側部分５２はクラウン６２の内側に配置される。他端側部分５２の突部５２ａは、クラウン６２の内側から第４貫通孔１６に挿入される。突部５２ａは第４貫通孔１６の縁に係止され、クリップ５０は飛沫防止具１Ａ及びクラウン６２から外れにくくなる。クリップ５０は、掛止片１３、ビン皮６３及びクラウン６２を挟持する。
【００５１】
なお、掛止片１４も、クラウン６２の左側において、掛止片１３と同様に、ビン皮６３に掛止され、クリップ５０は、掛止片１４、ビン皮６３及びクラウン６２を挟持する。
【００５２】
鍔６１が軟性部材によって構成されている場合、鍔６１に取付板３を取り付けても、鍔６１が変形し、シールド板２がユーザの顔の前側に配置されないおそれがある。実施の形態２にあっては、クラウン６２に飛沫防止具１Ａが取り付けられるので、鍔６１の剛性に拘わらず、飛沫防止具１Ａを帽子６０又はバイザーなどに取り付けることができる。
【００５３】
図１３は、帽子６０に取り付けられた飛沫防止具１Ａの右側の舌片４５付近の略示右側面部分拡大図である。右側の舌片４５は下方に押され、鍔６１の前端部下側に配置されている。即ち、前記舌片４５は鍔６１に係止する。なお、左側の舌片４５も、同様に、鍔６１に係止する。
【００５４】
クリップ５０が掛止片１３、１４、ビン皮６３及びクラウン６２を挟持した場合、取付板３が鍔６１から浮く、即ち上側に移動することがある。舌片４５を押して、鍔６１の前端部下側に配置させることによって、取付板３は鍔６１に係止され、取付板３が鍔６１から浮くことを防止できる。なお実施の形態１に係る飛沫防止具１に、舌片４５を設けてもよい。
【００５５】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００５６】
１、１Ａ  飛沫防止具
２  シールド板
２ａ  右縁部
２ｂ  左縁部
２ｃ  後縁部（一縁部）
３  取付板
３ａ  第１縁部
３ｂ  第２縁部
４  連結板（連結部）
５〜９  折り線
１０  ミシン目
１１、１２  第１側板
１３、１４  掛止片（掛止部）
１５  第３貫通孔（第３挿入孔）
１６  第４貫通孔（第４挿入孔）
２１、２２  第２側板
３０  凹部（挿入孔）
３２  舌片（係止部）
４１  第１貫通孔（挿入孔）
４２  第２貫通孔（第２挿入孔）
４３  スリット（被係止部）
４５  舌片（第２係止部）
６０  帽子
６１  鍔
６２  クラウン
６３  ビン皮（被掛止部材）
【図１】
0003228106.tif 000003
【図２】
0003228106.tif 000004
【図３】
0003228106.tif 000005
【図４】
0003228106.tif 000006
【図５】
0003228106.tif 000007
【図６】
0003228106.tif 000008
【図７】
0003228106.tif 000009
【図８】
0003228106.tif 000010
【図９】
0003228106.tif 000011
【図１０】
0003228106.tif 000012
【図１１】
0003228106.tif 000013
【図１２】
0003228106.tif 000014
【図１３】
0003228106.tif 000015